(57)【要約】【課題】簡易な構成でスプライス部の剥離を防止することができる電線組を提供すること。【解決手段】複数の電線１０、２０の露出した芯線１１、１２同士が接続されたスプライス部Ｓを有する電線組であって、スプライス部Ｓよりも基端側の少なくとも一部に、電線１０、２０同士が撚り合わされた箇所が存在する電線組１とする。電線同士が撚り合わされた箇所の少なくとも一部を囲むように撚り合わされた状態を維持する維持部材Ｋが取り付けられているとよい。複数の電線のうちの少なくとも一つの電線の芯線が、他の電線の芯線と異なる金属で形成されている場合に特に有効である。【選択図】図１
2013235671.tif 000002
【特許請求の範囲】
【請求項１】
複数の電線の露出した芯線同士が接続されたスプライス部を有する電線組であって、
前記スプライス部よりも基端側の少なくとも一部に、前記電線同士が撚り合わされた箇所が存在することを特徴とする電線組。
【請求項２】
前記電線同士が撚り合わされた箇所の少なくとも一部を囲むように撚り合わされた状態を維持する維持部材が取り付けられていることを特徴とする請求項１に記載の電線組。
【請求項３】
前記複数の電線のうちの少なくとも一つの電線の芯線が、他の電線の芯線と異なる金属で形成されていることを特徴とする請求項１または請求項２に記載の電線組。
【発明の詳細な説明】
【技術分野】
【０００１】
本発明は、芯線同士が接合されたスプライス部を有する電線組に関する。
【背景技術】
【０００２】
例えば下記特許文献１に記載されるように、自動車などの車両の電気配線には、車体の軽量化や鉄との分離が容易であるといったリサイクル性等に鑑みて、芯線がアルミニウムやアルミニウム合金で形成されたアルミニウム電線が用いられることがある。
【０００３】
このようなアルミニウム電線とその他の金属で芯線が形成された電線が混在する場合において、下記特許文献２〜４に記載されるような芯線同士が接合されたスプライス部を有する電線組を作成するときには、異種金属を溶接しなければならないため、当該スプライス部のピール強度（スプライス部を引き剥がすのに必要な力の大きさのことをいう。以下同じ）が低くなる。特に、電線の芯線として広く用いられている銅は、アルミニウムに対して溶接しにくい材料であることが知られており、「銅−アルミニウム」の電線組を作成するとスプライス部のピール強度が十分なものとならない場合がある。特許文献２〜４には、スプライス部を各種外装材で覆うことにより、スプライス部の剥離を防止する構成が開示されているが、外装材で覆うことによるコスト増の問題や、外装材自体の強度が不十分である、外装材とスプライス部が密着しない、などといった理由から要求されるレベルに未だ達していないといった問題がある。
【先行技術文献】
【特許文献】
【０００４】
【特許文献１】特開２００９−９７３６号公報
【特許文献２】特開平７−２４５８６４号公報
【特許文献３】特開平８−７０５２６号公報
【特許文献４】特開平８−１４８２００号公報
【発明の概要】
【発明が解決しようとする課題】
【０００５】
本発明が解決しようとする課題は、簡易な構成でスプライス部の剥離を防止することができる電線組を提供することにある。
【課題を解決するための手段】
【０００６】
上記課題を解決するために、本発明は、複数の電線の露出した芯線同士が接合されたスプライス部を有する電線組であって、前記スプライス部よりも基端側の少なくとも一部に、前記電線同士が撚り合わされた箇所が存在することを要旨とする。
【０００７】
この場合、前記電線同士が撚り合わされた箇所の少なくとも一部を囲むように撚り合わされた状態を維持する維持部材が取り付けられていればよい。
【０００８】
また、前記複数の電線のうちの少なくとも一つの電線の芯線が、他の電線の芯線と異なる金属で形成されていればよい。
【発明の効果】
【０００９】
本発明によれば、電線組に対して電線同士を引き離そうとする力が作用すると、スプライス部よりも基端側に位置する電線同士が撚り合わされた箇所の「撚り」が引き締まる。つまり、電線同士を引き離そうとする力の少なくとも一部が撚り合わされた箇所に吸収され、当該力の全部がスプライス部に伝わることはないため、スプライス部の剥離を防止することができる。また、スプライス部よりも基端側に電線同士が撚り合わされた箇所を設定するだけでよいため、製造コストの上昇も抑えられる。
【００１０】
また、撚り合わされた箇所を囲む維持部材が設けられていれば、電線同士を引き離そうとする力が作用したときに、上記「撚り」が解けてしまうことを防止することができるため、スプライス部に作用する力がさらに抑えられる。
【００１１】
上記構成は、異なる金属の芯線同士が接合されたスプライス部を有する電線組に特に有効である。具体的には、銅とアルミニウムが接合されたスプライス部を有する、銅電線とアルミニウム電線を含む電線組が例示できる。
【図面の簡単な説明】
【００１２】
【図１】図１（ａ）は本発明の実施形態にかかる電線組の外観図であり、図１（ｂ）は図１（ａ）に示した電線組に対して電線を引き離そうとする力が加わったときの外観図である。
【図２】図１（ａ）に示した電線組の変形例を示した図である。
【図３】図１（ａ）に示した電線組の好適な作成手順を説明するための図である。
【発明を実施するための形態】
【００１３】
本発明の実施形態にかかる電線組１について説明する。図１（ａ）に示す本実施形態にかかる電線組１は、第一の電線１０と第二の電線２０という二つの電線が電気的に接続されたものである。具体的には、第一の電線１０の芯線１１と第二の電線２０の芯線２１とが接合されたスプライス部Ｓを有するものである。この接合される第一の電線１０の芯線１１を構成する金属と第二の電線２０の芯線２１を構成する金属は異なる。本実施形態では、第一の電線１０の芯線１１がアルミニウム（アルミニウム合金等を含む。以下単に「アルミニウム」というときには、アルミニウム合金を含むものとする）、第二の電線２０の芯線２１が銅（銅合金等を含む。以下単に「銅」というときには、銅合金等を含むものとする）で形成されている。
【００１４】
第一の電線１０のアルミニウム製芯線１１と、第二の電線２０の銅製芯線２１の接合方法は、両電線間の電気的導通が確保できるのであれば特定の方法に限定されない。具体的には超音波溶接や抵抗溶接等の各種溶接が例示できる。
【００１５】
芯線１１、２１が接合されてなるスプライス部Ｓより基端側の少なくとも一部には、電線同士が撚り合わされた箇所Ｔが存在する。本実施形態では、第一の電線１０と第二の電線２０は、芯線１１、２１を覆う被覆材１２、２２のスプライス部Ｓ側端部から撚り合わされている。この撚りは一回以上であればよい（各電線における撚り合わされた箇所Ｔを構築する部位が３６０度以上の螺旋形状となるように捻れた状態であればよい）。
【００１６】
このようにスプライス部Ｓよりも基端側に電線同士が撚り合わされた箇所Ｔが存在すると、図１（ｂ）に示すように電線を互いに引き離そうとする力が作用しても、その力の少なくとも一部は電線同士が撚り合わされた箇所Ｔの「撚り」を引き締める力として消費されることになる。つまり、電線を互いに引き離そうとする力の少なくとも一部が撚り合わされた箇所Ｔに吸収され、当該力の全部がスプライス部Ｓに伝わることはないため、スプライス部Ｓの剥離を防止することができる。
【００１７】
また、スプライス部Ｓよりも基端側に電線同士が撚り合わされた箇所Ｔを設定するだけでよいため、製造コストの上昇も抑えられる。
【００１８】
このような電線組１の変形例（電線組１ａ）としては次のようなものが挙げられる。図２に示す当該変形例にかかる電線組１ａは、電線同士が撚り合わされた箇所Ｔの少なくとも一部（軸線方向における少なくとも一部）を囲むように維持部材Ｋが取り付けられているものである。この維持部材Ｋは、電線状態が撚り合わされた状態を維持するものである。撚り合わされた箇所Ｔの周囲を囲み、電線に対して撚りが解消される方向に力がかかったときに、この力に抵抗する力を生じさせるものであればよい。このような維持部材Ｋとしては、撚り合わされた箇所Ｔを締め付ける図２に示すような筒状（リング状）の部材が例示できる。
【００１９】
本実施形態にかかる電線組１は、図３に示すように、組にする電線を束になるように纏め（図３（ａ））、電線の所定部位（露出した芯線１１、２１よりも基端側の部位）を撚り合わせた後（図３（ｂ））、芯線１１、２１を接合してスプライス部Ｓを形成する（図３（ｃ））、という順で作成するとよい。芯線１１、２１を接合した後、電線の所定部位を撚り合わせようとすると、電線の弾性力により撚りが解けてしまいやすいからである。電線を撚り合わせてから芯線１１、２１を接合すると、超音波溶接等による芯線１１、２１の接合作業時に撚り合わされた箇所がある程度固まるため、撚りが解けにくくなる。
【００２０】
以上、本発明の実施の形態について詳細に説明したが、本発明は上記実施の形態に何ら限定されるものではなく、本発明の要旨を逸脱しない範囲で種々の改変が可能である。
【００２１】
例えば、上記実施形態にかかる電線組１は、第一の電線１０と第二の電線２０という二つの電線で構成されていることを説明したが、電線組を構成する電線が複数であって、その複数の電線のうちの少なくともいずれかの電線の芯線が、他の電線の芯線と異なる金属で形成されたものであればよく、電線組を構成する電線の数は二に限られない。
【００２２】
また、電線同士が撚り合わされた箇所Ｔは、スプライス部Ｓよりも基端側であればどの位置に存在していてもよい。
【符号の説明】
【００２３】
１（１ａ）  電線組
１０  第一の電線
１１  （第一の電線の）芯線
２０  第二の電線
２１  （第二の電線の）芯線
Ｓ  スプライス部
Ｔ  撚り合わされた箇所
Ｋ  維持部材
【図１】
2013235671.tif 000003
【図２】
2013235671.tif 000004
【図３】
2013235671.tif 000005